(57)【要約】【課題】縦材と横材との接合部から水等が漏出しにくい枠部材を備えた建具を提供する。【解決手段】室内外に連通する開口に設けられ、縦材と横材とを有する枠部材と、前記枠部材に開閉自在に設けられた戸と、を備えた建具であって、前記枠部材は、前記縦材の側面に弾性を有するシール材を介して前記横材の端が当接されて接合され、前記横材は、長手方向に連続して室内外方向一方側から他方側へ突出する突出部位を有し、前記突出部位の先端部は、前記シール材と当接する縦枠側の端面に、当該先端部の先端縁側が前記縦枠から離間するように形成された端面側の傾斜面と、当該先端部の向かう方向と反対方向に窪む凹部を形成する端部の傾斜面と、を有し、前記横材と前記シール材とは、前記端面側の傾斜面の前記先端側の縁、及び、前記端部の傾斜面の前記先端側であって前記凹部における前記横材の端面側の縁が境界となるように当接されている。【選択図】図５
2009030352.tif 000002
【特許請求の範囲】
【請求項１】
室内外に連通する開口に設けられ、縦材と横材とを有する枠部材と、前記枠部材に開閉自在に設けられた戸と、を備えた建具であって、
前記枠部材は、前記縦材の側面に弾性を有するシール材を介して前記横材の端が当接されて接合され、
前記横材は、長手方向に連続して室内外方向一方側から他方側へ突出する突出部位を有し、
前記突出部位の先端部は、前記シール材と当接する縦枠側の端面に、当該先端部の先端縁側が前記縦枠から離間するように形成された端面側の傾斜面と、当該先端部の向かう方向と反対方向に窪む凹部を形成する端部の傾斜面と、を有し、
前記横材と前記シール材とは、前記端面側の傾斜面の前記先端側の縁、及び、前記端部の傾斜面の前記先端側であって前記凹部における前記横材の端面側の縁が境界となるように当接されていることを特徴とする建具。
【請求項２】
室内外に連通する開口に設けられ、縦材と横材とを有する枠部材と、前記枠部材に開閉自在に設けられた戸と、を備えた建具であって、
前記枠部材は、前記縦材の側面に弾性を有するシール材を介して前記横材の端が当接されて接合され、
前記横材は長手方向に連続して室内外方向一方側から他方側へ突出する突出部位を有し、
前記突出部位の先端部は、前記シール材と当接する縦枠側の端面に、当該先端部の先端縁側が前記縦枠から離間するように形成された端面側の傾斜面を有し、
前記横材と前記シール材とは、前記端面側の傾斜面の前記先端側の縁が境界となるように当接されていることを特徴とする建具。
【請求項３】
室内外に連通する開口に設けられ、縦材と横材とを有する枠部材と、前記枠部材に開閉自在に設けられた戸と、を備えた建具であって、
前記枠部材は、前記縦材の側面に弾性を有するシール材を介して前記横材の端が当接されて接合され、
前記横材は長手方向に連続して室内外方向一方側から他方側へ突出する突出部位を有し、
前記突出部位の先端部は、当該先端部の向かう方向と反対方向に窪む凹部を形成する端部の傾斜面を有し、
前記横材と前記シール材とは、前記端部の傾斜面の前記先端側であって前記凹部における前記横材の端面側の縁が境界となるように当接されていることを特徴とする建具。
【請求項４】
請求項１または請求項３のいずれかに記載の建具であって、
前記傾斜面は、曲面で形成していることを特徴とする建具。
【請求項５】
請求項１乃至請求項４のいずれかに記載の建具であって、
前記横材は水返しを有し、前記傾斜面は、前記水返しに設けられていることを特徴とする建具。
【発明の詳細な説明】
【技術分野】
【０００１】
本発明は、室内外に連通する開口に設けられ縦材と横材とを有する枠部材と、この枠部材に開閉自在に設けられた戸とを備えた建具に関する。
【背景技術】
【０００２】
縦材と横材とを有する枠部材を備えた建具としては、例えば、室内外に連通する開口に設けられた建具の縦枠と横枠とを有する枠部材を備えた建具が知られている。このような建具は、室内外の境界部分を水密に保つために、縦枠の内面に弾性を有するシート状の止水材を介して横枠である下枠の端面を突き合わせ、ねじにより締め付けて枠部材を形成している（例えば、特許文献１参照）。また、室内外一方から他方への水の移動を防ぐために、下枠には鉛直方向に立ち上がる水返しが設けられている。そして、下枠の端面は、見込み方向に沿って切断されており、弾性を有する止水部材において下枠の端面が当接された部位は押し潰されるとともに、その周囲の部位は押し潰された部位より下枠側に盛り上がっている。
【特許文献１】特開２００１−１３２３４７号公報
【発明の開示】
【発明が解決しようとする課題】
【０００３】
上述した枠部材のように、下枠の端面が止水部材に当接されて、止水部材が下枠の周囲で盛り上がっていると、下枠の水返しと止水部材との境界部には境界部を始点にして徐々に拡がる間隙が形成される。このような間隙に室内外方向一方側の水が浸入すると、毛細管現象により境界部の狭い間隙をつたって室内外方向他方側に浸出し易くなる。従って、下枠に鉛直方向に立ち上がった水返しが設けられていたとしても、毛管現象により水返しを越えて水が漏出する畏れがあるという課題があった。
【０００４】
本発明は、かかる課題に鑑みてなされたものであり、その目的とするところは、縦材と横材との接合部から水等が漏出しにくい枠部材を備えた建具を提供することにある。
【課題を解決するための手段】
【０００５】
かかる目的を達成するために本発明の建具は、室内外に連通する開口に設けられ、縦材と横材とを有する枠部材と、前記枠部材に開閉自在に設けられた戸と、を備えた建具であって、前記枠部材は、前記縦材の側面に弾性を有するシール材を介して前記横材の端が当接されて接合され、前記横材は、長手方向に連続して室内外方向一方側から他方側へ突出する突出部位を有し、前記突出部位の先端部は、前記シール材と当接する縦枠側の端面に、当該先端部の先端縁側が前記縦枠から離間するように形成された端面側の傾斜面と、当該先端部の向かう方向と反対方向に窪む凹部を形成する端部の傾斜面と、を有し、前記横材と前記シール材とは、前記端面側の傾斜面の前記先端側の縁、及び、前記端部の傾斜面の前記先端側であって前記凹部における前記横材の端面側の縁が境界となるように当接されていることを特徴とする建具である。
【０００６】
横材をシール材に当接させて縦材と接合した際には、横材によってシール材が押し潰されることで、横材とシール材との境界部にて、シール材の押し潰されていない部位（シール材における横材と当接していない部位）が、押し潰されている部位より盛り上がる。このとき、上記横材のように、端面に傾斜面を有し、端面側の傾斜面の先端側の縁が境界となるように横材がシール材に当接されている場合には、傾斜面を有していない場合と比較して、横材とシール材との境界部にてシール材の盛り上がる量が小さくなる。このため、横材の端面に傾斜面を有している場合には、傾斜面を有していない場合と比較して、シール材の盛り上がり部分と横材の室内外方向一方側の面との間に形成される間隙の角度が大きくなり、たとえシール材の盛り上がり部分と横材との間の間隙に水が到達したとしても毛管現象は生じにくい。よって、縦材と横材との接合部から水等が漏出しにくい建具を実現することが可能である。ここで、室内外方向一方側及び他方側とは、いずれも室内側又は室外側のいずれかを示しており、水平面内における室内外の境界から室内に向かう方向又は室外に向かう方向を示すものではない。
【０００７】
さらに、横材は室内外方向一方側から他方側へ突出する突出部位を有し、当該突出部位の先端部に当該先端部の向かう方向と反対方向に窪む凹部を形成する端部の傾斜面をも有しており、端部の傾斜面の先端側の縁であって前記凹部における横材の端面側の縁も境界となるように横材がシール材に当接されているので、端部の傾斜面によりシール材の盛り上がり部分と、横材が有する突出部位の先端部における先端縁となる面との間の間隙の角度がより大きくなるため、縦材と横材との接合部から水等がより漏出しにくい建具を実現することが可能である。
【０００８】
また、室内外に連通する開口に設けられ、縦材と横材とを有する枠部材と、前記枠部材に開閉自在に設けられた戸と、を備えた建具であって、前記枠部材は、前記縦材の側面に弾性を有するシール材を介して前記横材の端が当接されて接合され、前記横材は長手方向に連続して室内外方向一方側から他方側へ突出する突出部位を有し、前記突出部位の先端部は、前記シール材と当接する縦枠側の端面に、当該先端部の先端縁側が前記縦枠から離間するように形成された端面側の傾斜面を有し、前記横材と前記シール材とは、前記端面側の傾斜面の前記先端側の縁が境界となるように当接されていることを特徴とする建具である。
【０００９】
横材をシール材に当接させて縦材と接合した際には、横材によってシール材が押し潰されることで、横材とシール材との境界部にて、シール材の押し潰されていない部位（シール材における横材と当接していない部位）が、押し潰されている部位より盛り上がる。このとき、上記横材のように、端面に傾斜面を有し、端面側の傾斜面の先端側の縁が境界となるように横材がシール材に当接されている場合には、傾斜面を有していない場合と比較して、横材とシール材との境界部にてシール材の盛り上がる量が小さくなる。このため、横材の端面に傾斜面を有している場合には、少なくとも傾斜面を有していない場合よりシール材の盛り上がり部分と横材が有する突出部位の先端部における先端縁となる面との間に形成される間隙の角度が大きくなるので、たとえシール材の盛り上がり部分と横材との間の間隙に水が到達したとしても毛管現象は生じにくい。よって、縦材と横材との接合部から水等が漏出しにくい建具を実現することが可能である。
【００１０】
また、室内外に連通する開口に設けられ、縦材と横材とを有する枠部材と、前記枠部材に開閉自在に設けられた戸と、を備えた建具であって、前記枠部材は、前記縦材の側面に弾性を有するシール材を介して前記横材の端が当接されて接合され、前記横材は長手方向に連続して室内外方向一方側から他方側へ突出する突出部位を有し、前記突出部位の先端部は、当該先端部の向かう方向と反対方向に窪む凹部を形成する端部の傾斜面を有し、前記横材と前記シール材とは、前記端部の傾斜面の前記先端側であって前記凹部における前記横材の端面側の縁が境界となるように当接されていることを特徴とする建具である。
【００１１】
横材をシール材に当接させて縦材と接合した際には、横材によってシール材が押し潰されることで、横材とシール材との境界部にて、シール材の押し潰されていない部位（シール材における横材と当接していない部位）が、押し潰されている部位より盛り上がる。このとき、上記横材のように、横材が室内外方向一方側から他方側へ突出する突出部位を有し、当該突出部位の先端部に当該先端部の向かう方向と反対方向に窪む凹部を形成する端部の傾斜面をも有しており、端部の傾斜面の先端側の縁であって前記凹部における横材の端面側の縁が境界となるように横材がシール材に当接されているので、端部の傾斜面によりシール材の盛り上がり部分と、横材が有する突出部位の先端部における先端縁となる面との間の間隙の角度がより大きくなる。このため、たとえシール材の盛り上がり部分と横材が有する突出部位の先端部における先端縁となる面との間の間隙に水が到達したとしても毛管現象は生じにくいので、縦材と横材との接合部から水等が漏出しにくい建具を実現することが可能である。
【００１２】
かかる建具であって、前記傾斜面は、曲面で形成していることが望ましい。  
このような枠部材によれば、傾斜面は曲面で形成しているので、単なる平面の傾斜面より、シール材の盛り上がり部分と傾斜面との間に形成される間隙の角度を大きくすることが可能である。このため、縦材と横材との接合部から水等がさらに漏出しにくい建具を実現することが可能である。
【００１３】
かかる建具であって、前記横材は水返しを有し、前記傾斜面は、前記水返しに設けられていることが望ましい。  
室内側の水の室外側への浸入を防止するために設けられる水返しに傾斜面が設けられているので、室外側への水の浸入を効果的に抑えることが可能である。
【発明の効果】
【００１４】
本発明によれば、縦材と横材との接合部から水等が漏出しにくい枠部材と、当該枠部材に開閉自在に設けられた戸と、を備えた建具を提供することが可能である。
【発明を実施するための最良の形態】
【００１５】
以下、本発明の一実施形態に係る枠部材及び建具について図を参照して説明する。  
本実施形態に係る建具は、躯体に固定され、図１、図２に示すように浴室（浴室内ともいう）と脱衣室（浴室外ともいう）との間の開口を形成する枠部材としての枠体１２と、開口を開閉自在に枠体１２に設けられる戸としての折れ戸２０と、を有する建具１０である。
【００１６】
以下の説明では、建具１０を浴室内側から見たときに上下となる方向を上下方向、左右となる方向（横材の長手方向）を左右方向または見付け方向、浴室の内外方向である奥行き方向を見込み方向として示す。本実施形態においては、室内外方向一方側が脱衣室（浴室外）側に相当し、他方側が浴室（浴室内）側に相当する。
【００１７】
枠体１２は、折れ戸２０の上下に位置する横材としての上枠１３及び下枠１４と、左右に位置する縦材としての縦枠１５、１６とを有している。上枠１３、下枠１４、左右の縦枠１５、１６はいずれもアルミニウム製の押出成形部材である。
【００１８】
上枠１３及び下枠１４の見付け方向（上枠１３及び下枠１４の長手方向）における両端部と、縦枠１５、１６との間には、ブチルゴム製の弾性部材としてのシール材１８が介在されており、上枠１３、下枠１４と縦枠１５、１６とは、縦枠１５、１６を見付け方向外側（長手方向縦枠側）から貫通するねじにて接合されている。上枠１３及び下枠１４の見付け方向における両端部と、縦枠１５、１６との接合部におけるシール構造は、いずれも同様であるため、ここでは、左縦枠１５と下枠１４の左側端面との接合部を例に挙げて説明する。
【００１９】
下枠１４は、図３に示すように、浴室側に僅かに傾斜してほぼ平坦な浴室側部位１４ａと、浴室側部位１４ａより高い上面を有する脱衣室側部位１４ｂと、浴室側部位１４ａと脱衣室側部位１４ｂとの間に設けられ脱衣室側部位１４ｂより上方に突出されて浴室側の水の脱衣室側への浸入を防ぐための水返し１４ｃとを有している。
【００２０】
水返し１４ｃは、浴室側部位１４ａの脱衣室側端と繋がって鉛直に立設された鉛直部１４ｄと鉛直部１４ｄの上端から浴室側に向かうように突出された内側突出部１４ｅとを有している。本実施形態においては、浴室側へ突出している内側突出部１４ｅが室内外方向一方側から他方側へ突出する突出部位に相当し、その先端が先端部に相当する。
【００２１】
下枠１４は、長手方向が見付け方向に沿うように配置され、縦枠１５、１６と、シール材１８を介して接合される左右の端部は、水返し１４ｃの内側突出部１４ｅを除いて、いずれも見付け方向とほぼ直交するように切断されている。水返し１４ｃの内側突出部１４ｅの先端部には、図４に示すように、見付け方向（下枠１４の長手方向）における端面に脱衣室側より浴室側が縦枠１５から離間するように形成された端面側の傾斜面１４ｇと、脱衣室（室内外方向一方側）側から浴室側（室内外方向他方側）へ突出する突出部位の先端部としての内側突出部１４ｅの、先端側の縁としての浴室側縁１４ｆに、内側突出部１４ｅの向かう方向と反対方向に窪む凹部１４ｈを形成する端部の傾斜面１４ｉとが形成されている。本実施形態においては、端面側の傾斜面１４ｇの室内側（室内外方向他方側）の縁と端部の傾斜面１４ｉの室内側（室内外方向他方側）の縁であって凹部１４ｈにおける下枠１４の端面側の縁とが一致している。ここでは、端面側の傾斜面１４ｇと端部の傾斜面１４ｉとの一致している室内側の縁を傾斜縁部１４ｋという。
【００２２】
下枠１４と縦枠１５とをそれらの間にシール材１８を介して接合すると、下枠１４とシール材１８とは、傾斜縁部１４ｋが境界となるように当接される。そして、図５に示すように、水返し１４ｃの内側突出部１４ｅとシール材１８との境界部のみ、内側突出部１４ｅとシール材１８とにて形成される間隙の角度θを他の部位より大きくすることが可能である。
【００２３】
ここで、内側突出部１４ｅとシール材１８とにて形成される間隙の角度θを、従来の枠体と比較するために、下枠１４の両端部が、見付け方向と交差する方向に沿って単に切断された場合の内側突出部３０とシール材１８とにて形成される間隙の角度について説明する。
【００２４】
下枠１４がシール材１８を介して接合されると、シール材１８の、下枠１４に押し潰された部位の周囲が押し潰された部位より盛り上がる。このとき、従来の下枠１４ように、両端部が見付け方向と交差する方向に沿って単に切断されている場合には、図６に示すように、従来の下枠１４の内側突出部３０とシール材１８との境界部では、極めて狭い間隙が形成される。このような、狭い間隙に浴室側の水が到達すると、毛管現象により間隙に沿って水が浸入する。そして、例えば水返し１４ｃのように鉛直に設けられている部位であっても、間隙に沿って水が上昇し水返し１４ｃを越えて脱衣室側に水が浸入する畏れがある。
【００２５】
本実施形態の枠体１２は、上述したように下枠１４の水返し１４ｃの内側突出部１４ｅの端面に、端面側の傾斜面１４ｇと、内側突出部１４ｅの浴室側に臨む浴室側縁１４ｆの端部に、脱衣室側に窪む凹部１４ｈを形成する端部の傾斜面１４ｉとを有している。このため、縦枠１５、１６と下枠１４とをシール材１８を介して接合する際に、水返し１４ｃの内側突出部１４ｅの端面では端面側の傾斜面１４ｇにてシール材１８を押圧するため、内側突出部１４ｅとシール材１８との境界部に形成される間隙は、従来の下枠とシール材１８との境界部より広くなる。さらに、本実施形態の下枠１４には、端面側の傾斜面１４ｇの浴室側の傾斜縁部１４ｋから繋がって端部の傾斜面１４ｉが設けられており、端部の傾斜面１４ｉは、浴室側縁１４ｆに、脱衣室側に窪む凹部１４ｈを形成するので、内側突出部１４ｅとシール材１８との境界部に形成される間隙、すなわち、端部の傾斜面１４ｉとシール材１８との間に形成される間隙は、さらに広くなる。このため、端部の傾斜面１４ｉとシール材１８との間では毛管現象が生じないので、たとえ浴室側部位１４ａから鉛直部１４ｄに水が浸入したとしても、内側突出部１４ｅを越えないため、脱衣室側に水が浸入することを防ぐことが可能である。
【００２６】
上記実施形態においては、端面側の傾斜面１４ｇと端部の傾斜面１４ｉとをいずれも備えた例について説明したが、図７（ａ）、図７（ｂ）に示すように、いずれか一方のみを備えた形態であってもよい。また、端部の傾斜面１４ｉの傾斜角度を図８に示すように大きくすることにより、シール材１８と端部の傾斜面１４ｉとの間に形成される間隙をより大きくすることが可能である。
【００２７】
また、上記実施形態においては、端部の傾斜面１４ｉを平面とした例について説明したが、図９（ａ）、図９（ｂ）に示すように互いに角度が異なる複数の微少面が順次角度を変化させつつ繋がった傾斜面により脱衣室側に湾曲する曲面とすることにより、シール材１８と端部の傾斜面１４ｉとの間に形成される間隙をより広くすることも可能である。また、傾斜面を曲面状とすることにより、凹部１４ｈを形成する２つの傾斜面が交わって形成される間隙をも、より広くすることが可能である。このとき、凹部を１つの曲面にて、例えば平面形状が半円となるように形成すると、水返し１４ｃの内側突出部１４ｅの端面、及び、内側突出部１４ｅの浴室側に臨む浴室側縁１４ｆの凹部のいずれにも、毛管現象が生じるような狭い間隙は形成されないため、脱衣室側への水の浸入をより確実に防止することが可能である。
【００２８】
さらに、上記実施形態においては、端面側の傾斜面１４ｇと端部の傾斜面１４ｉとの浴室側の縁が一致する例について説明したが、図１０（ａ）、図１０（ｂ）に示すように、端面側の傾斜面１４ｇと端部の傾斜面１４ｉとの浴室側の縁が離れている形態であっても、シール材１８と端部の傾斜面１４ｉとの間に形成される間隙がより大きくなるように構成されていれば構わない。
【００２９】
また、図１１に示すように、下枠１４の端面に、脱衣室側に窪むような曲面を設け、シール材１８に下枠１４を曲面にて押圧してシール材１８と横材との境界部分におけるシール材１８の盛り上がりを小さくすることにより、シール材１８と下枠１４との間に形成される間隙がより大きくなるように構成しても良い。
【００３０】
また、上記実施形態においては、鉛直に立設された鉛直部１４ｄの上端からほぼ水平に浴室側に向かうように突出された内側突出部１４ｅを、室内外方向一方側から他方側へ突出する突出部位として説明したが、室内外方向一方側から他方側へ突出する突出部位はこれに限るものではない。例えば、図１２に示すように、内側突出部１４ｅの先端に垂設された垂設部１４ｍを有する場合には、垂設部１４ｍが室内外方向一方側から他方側へ突出する突出部位の先端部に相当し、垂設部１４ｍの端部に、先端部の向かう方向と反対方向、すなわち上方向に窪む凹部１４ｈを形成する端部の傾斜面１４ｉが形成される。このように、凹部１４ｈ及び端部の傾斜面１４ｉが形成される部位は、水平方向における室内外方向一方側から他方側へ突出された部位だけで構成されたものに限定されるのではなく、室内外方向他方側へ（浴室や屋外のように水に晒される側）突出する突出部位の、様々な角度をなす方向に向かうに先端部であってもよい。図１２の場合ではその突出部位の先端部としての垂設部１４ｍに、当該垂設部１４ｍの向かう方向と反対方向に窪む凹部１４ｈを形成する端部の傾斜面１４ｉが形成されている。さらに、突出部位は、複数の先端部を有してもよく、少なくともその一つの先端部において端面側の傾斜面や端部の傾斜面が形成されていてもよい。なお、上記実施形態において、図５及び図７〜図１１にて示した変形例は、いずれも内側突出部１４ｅが、室内外方向一方側から他方側へ突出した突出部位の先端部であり、図５及び図７（ｂ）〜図１０に示されている凹部１４ｈは、先端部の向かう方向と反対方向に窪む凹部である。
【００３１】
また、上記実施形態では、横材の傾斜面と縦枠との間にシール材を開示させて接合する接合部を、枠部材の四隅としたが、必ずしも四隅でなく少なくとも下枠と縦枠との接合部において横材の端部に傾斜面が設けられていればよい。
【００３２】
枠部材を躯体に取り付けられる枠体の縦枠及び横枠としたが、鴨居、無目、縦骨、障子の縦框及び横框でも構わない。
【００３３】
また、水返し１４ｃの内側突出部１４ｅのみに傾斜面などを設けたがこれに限らず、内側突出部１４ｅと鉛直部１４ｄに設けてもよく、鉛直部１４ｄだけに設けても良い。
【００３４】
また、上記実施の形態においては、障子として、折れ戸を例に挙げて説明したが、これに限定されるものではなく、例えば、障子は、開き戸であっても構わない。
【００３５】
また、建具として、浴室用の建具を例に挙げて説明したがこれに限定されるものではなく、例えば、シャワー室用の建具やプール用の建具であってもよい。また、屋内外の開口部に設ける建具であってもよい。本発明は、室内と室外との間に位置するどの建具にも、適用可能である。
【００３６】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３７】
【図１】本実施形態に係る浴室建具の概略図である。
【図２】本実施形態に係る下枠と縦枠との接合部を示す斜視図である。
【図３】下枠の斜視図である。
【図４】縦枠と下枠との接合部を示す斜視図である。図２におけるＡ矢視図である。
【図５】本発明に係る水返しとシール材との当接部を示す平面図である。
【図６】従来の水返しとシール材との当接部を示す平面図である。
【図７】内側突出部の端部における第１変形例を示す図である。
【図８】内側突出部の端部における第２変形例を示す図である。
【図９】内側突出部の端部における第３変形例を示す図である。
【図１０】内側突出部の端部における第４変形例を示す図である。
【図１１】内側突出部の端部における第５変形例を示す図である。
【図１２】水返しの変形例を示す図である。
【符号の説明】
【００３８】
１０  建具、１２  枠体、１４  下枠、１４ａ  浴室側部位、
１４ｂ  脱衣室側部位、１４ｃ  水返し、１４ｅ  内側突出部、
１４ｅ  内側突出部、１４ｆ  浴室側縁、１４ｇ  傾斜面、
１４ｈ  凹部、１４ｉ  傾斜面、１４ｋ  傾斜縁部、
１５  左縦枠、１８  シール材
【図１】
2009030352.tif 000003
【図２】
2009030352.tif 000004
【図３】
2009030352.tif 000005
【図４】
2009030352.tif 000006
【図５】
2009030352.tif 000007
【図６】
2009030352.tif 000008
【図７】
2009030352.tif 000009
【図８】
2009030352.tif 000010
【図９】
2009030352.tif 000011
【図１０】
2009030352.tif 000012
【図１１】
2009030352.tif 000013
【図１２】
2009030352.tif 000014